(57)【要約】【課題】患者に薬袋と薬剤情報を一体化させて渡せるようにしてマッチングミスの防止を図り、またマッチング作業の省略を図れるようにした薬袋を提供する。【解決手段】２枚の矩形状の用紙が重ねられ、所定部分で接着及び粘着されて、薬剤を封入する開口部が施された薬袋部材と、該薬袋部に収納する薬剤情報を表示する薬剤情報表示部材と、が一体化され、薬袋部材と薬剤情報表示部材とは、２枚の矩形状の用紙に形成された切り取り用ミシン目により切り取り可能に構成され、薬袋部材は、重ねられた２枚の用紙の四周縁部に設けられた接着剤により接着されて袋状に形成され、更に、重ねられた２枚の用紙の一方に形成された切込みにより薬剤を封入する開口部が設けられ、薬剤情報表示部材は、重ねられた２枚の用紙が接着剤で接着された接着部と、重ねられた２枚の用紙の一方の用紙の裏面に塗布された粘着剤により、貼り替え可能に貼付されたシール部分と、を有する。【選択図】        図１
2010068899.tif 000002
【特許請求の範囲】
【請求項１】
２枚の矩形状の用紙が重ねられ、所定部分で接着及び粘着されて、薬剤を封入する開口部が施された薬袋部材と、該薬袋部に収納する薬剤情報を表示する薬剤情報表示部材と、が一体化されて設けられた薬袋であって、
前記薬袋部材と前記薬剤情報表示部材とは、前記２枚の矩形状の用紙に形成された切り取り用ミシン目により切り取り可能に構成され、
前記薬袋部材は、重ねられた２枚の用紙の四周縁部に設けられた接着剤により接着されて袋状に形成され、更に、重ねられた２枚の用紙の一方に形成された切込みにより薬剤を封入する開口部が設けられ、
前記薬剤情報表示部材は、重ねられた２枚の用紙が接着剤で接着された接着部と、重ねられた２枚の用紙の一方の用紙の裏面に塗布された粘着剤により、貼り替え可能に貼付されたシール部分と、を有することを特徴とする薬袋。
【請求項２】
前記シール部分は、重ねられた２枚の用紙の一方の用紙に形成された切込み枠により形成され、前記シール部分の用紙の裏面に粘着剤が設けられて、他の用紙から剥離可能に構成され、
前記薬剤情報表示部材の接着部分の表面には、前記薬袋部材に収納する薬剤情報として、薬剤説明情報と薬剤料金情報とを表示する表示領域が設けられていることを特徴とする請求項１記載の薬袋。
【発明の詳細な説明】
【技術分野】
【０００１】
本発明は、２枚の矩形状の用紙が重ねられ、所定部分に接着部と粘着部を設けることで接着一体化され、薬剤を封入する開口部が施された薬袋部材と、該薬袋部に収納する薬剤情報を表示する薬剤情報表示部材と、を有している薬袋に関する。
【背景技術】
【０００２】
従来、薬局や病院などにおいて患者が持参した処方箋に基づいて処方した薬剤を出す際に、薬袋などに、薬剤料金明細書、薬剤説明書などをプリント出力するための、表面にプリント面を有する薬袋が既に提案されている。（例えば、特許文献１、２参照）
また、最近では、服用している薬剤の履歴を記入する薬剤手帳が普及しており、記入の手間を省くために、薬剤名をプリンタで印字した薬剤シールを用いる薬局もある。
【０００３】
しかしながら、患者に渡す薬袋と共に、薬剤料金明細書、薬剤説明書、薬剤シールなど各種のプリント出力媒体を用意する場合には、薬袋と、それらの媒体と、をマッチングさせる際にミスが発生する危険性や、また正確にマッチングさせるために作業時間がかかるなどの問題がある。
特に、大きな規模の病院に近い薬局では、多くの患者が薬局に訪れるために込み合うこともあり、患者の待ち時間をできるだけ短くすると共に、間違いなく処方箋通りの薬剤を用意して提供する必要があり、従来の方法では正確性にも不安があった。
【０００４】
【特許文献１】特開２０００−１９０９８４号公報
【特許文献２】特開２００６−３４５２３号公報
【発明の開示】
【発明が解決しようとする課題】
【０００５】
そこで、本発明は、薬剤を収納させる薬袋と共に、その薬袋に収納させた薬剤に関する薬剤情報をプリント出力して患者に渡したい場合でも、患者に渡す薬袋と共に、薬剤料金明細書、薬剤説明書、薬剤シールなど各種のプリント出力媒体を一体化させて渡せるようにして、マッチングミスの防止を図り、またマッチング作業の省略を図れるようにした薬袋を提供する。
【課題を解決するための手段】
【０００６】
本発明の薬袋は、２枚の矩形状の用紙が重ねられ、所定部分で接着及び粘着されて、薬剤を封入する開口部が施された薬袋部材と、該薬袋部に収納する薬剤情報を表示する薬剤情報表示部材と、が一体化されて設けられた薬袋であって、前記薬袋部材と前記薬剤情報表示部材とは、前記２枚の矩形状の用紙に形成された切り取り用ミシン目により切り取り可能に構成され、前記薬袋部材は、重ねられた２枚の用紙の四周縁部に設けられた接着剤により接着されて袋状に形成され、更に、重ねられた２枚の用紙の一方に形成された切込みにより薬剤を封入する開口部が設けられ、前記薬剤情報表示部材は、重ねられた２枚の用紙が接着剤で接着された接着部と、重ねられた２枚の用紙の一方の用紙の裏面に塗布された粘着剤により、貼り替え可能に貼付されたシール部分と、を有することを特徴とする。
【０００７】
また、本発明の薬袋は、前記シール部分は、重ねられた２枚の用紙の一方の用紙に形成された切込み枠により形成され、前記シール部分の用紙の裏面に粘着剤が設けられて、他の用紙から剥離可能に構成され、前記薬剤情報表示部材の接着部分の表面には、前記薬袋部材に収納する薬剤情報として、薬剤説明情報と薬剤料金情報とを表示する表示領域が設けられていることを特徴とする。
【発明の効果】
【０００８】
本発明の薬袋は、２枚の矩形状の用紙が重ねられ、所定部分で接着及び粘着されて、薬剤を封入する開口部が施された薬袋部材と、該薬袋部に収納する薬剤情報を表示する薬剤情報表示部材と、が一体化されて設けられているので、薬剤を収納させる薬袋と共に、その薬袋に収納させた薬剤に関する薬剤情報をプリント出力して患者に渡したい場合でも、患者に渡す薬袋と共に、プリント出力させた薬剤情報を一体化させて渡すことができて、マッチングミスの防止を図ることができ、またマッチング作業の省略を図ることができるという効果がある。
【０００９】
また、本発明の薬袋は、重ねられた２枚の用紙の一方の用紙に形成された切込み枠によりシール部分が形成され、また薬剤情報表示部材の接着部分の表面に、前記薬袋部に収納する薬剤情報として、薬剤説明情報と薬剤料金情報とを表示する表示領域が設けられているので、薬剤料金明細書、薬剤説明書、薬剤シールなど各種のプリント出力媒体を一体化させて渡すことができて、マッチングミスの防止を図ることができ、またマッチング作業の省略を図ることができるという効果がある。
【発明を実施するための最良の形態】
【００１０】
以下、本発明の実施形態に係る薬袋を図面に基づいて詳細に説明する。
図１は、本発明の実施形態に係る薬袋の斜視図、図２は、図１のＡ−Ａ線断面図、図３は、図１のＢ−Ｂ線断面図、図４は、図１のＣ−Ｃ線断面図、図５は、本発明の実施形態に係る薬袋を分解させた場合を示す斜視図、図６は、本発明の実施形態に係る薬袋の使用方法を示し、薬剤の封入と、必要なプリント出力を行なった状態を示す斜視図、図７は、本発明の実施形態に係る薬袋の使用方法を示し、薬袋を切り取り、薬剤シールを貼り替えた状態を示す斜視図である。
【００１１】
本発明の実施形態に係る薬袋１は、図１に示すように、２枚の矩形状の用紙２，３が重ねられて、所定部分において接着剤４が塗布された接着部において接着され、また、粘着剤５が塗布された粘着部において剥離可能に粘着されていることで一体化されている。
そして、薬袋１は、切り取り用ミシン目６を介して薬袋部材１ａと、薬剤情報表示部材１ｂと、の部分を有しており、まず、薬袋部材１ａには、薬剤を封入する開口部７が施され、また、薬剤情報表示部材１ｂは、該薬袋部に収納する薬剤情報をプリンタ出力により表示する表示領域を有している。
薬袋部材１ａに設けられた開口部７は、重ねられた２枚の用紙の一方の用紙に切込みを形成することで設けられ、薬袋部材１ａの表面には、この袋が薬袋であることを示すために「薬袋」などの表示が施されている。
したがって、患者は、薬剤情報を確認した後に、必要に応じて切り取り用ミシン目６から切り離すことで、必要に応じて薬袋部材１ａによる薬袋だけを所持することができるように構成されている。
【００１２】
次に、薬剤情報表示部材１ｂは、横方向に所定間隔を空けて２本の切り取り用ミシン目８，９が形成されており、これらの切り取り用ミシン目８，９により、上側から順番に、薬剤説明書領域１０と、薬剤料金明細書領域１１と、薬剤シール領域１２と、に区分けされている。
そして、薬剤説明書領域１０には、処方箋に基づいて処方した薬局などが、この薬袋に収納させる薬剤に関する説明情報をプリンタ出力する。
また、薬剤料金明細書領域１１は、この薬袋に収納させる薬剤に関する料金情報をプリント出力させるための領域である。
更に、薬剤シール領域１２は、重ねられた２枚の用紙の一方の用紙を剥離させて、貼り替え可能とする薬剤シール部分１２ａ，１２ｂを有する。
このシール部分は、重ねられた２枚の用紙の一方の用紙に形成された切込み枠１３ａ，１３ｂにより形成されている。
また、この実施形態では、２つのシール部分１２ａ，１２ｂを設けた場合について説明しているが、必要に応じてシール部分をいくつでも設けることができる。
【００１３】
次に、重ねられた２枚の矩形状の用紙２，３の間に設けられた接着部及び粘着部について、図５に基づいて説明する。
図５には、重ねられた２枚の矩形状の用紙２，３の間における接着部領域４ａと、粘着部領域５ａとの位置関係がわかるように、２枚の矩形状の用紙２，３を分離させた状態の斜視図が示されている。
まず、重ねられた２枚の矩形状の用紙２，３の間の接着部領域４ａについて説明する。
接着部領域４ａは、薬袋１の薬袋部材１ａと薬剤情報表示部材１ｂとにそれぞれ設けられている。
まず、切り取り用ミシン目６から左側にある薬袋部材１ａにおいては、用紙３上の四周縁部に接着剤４が設けられており、この接着剤４により２枚の矩形状の用紙２，３が接着されることで、四周が密封された袋が形成されている。
【００１４】
次に、切り取り用ミシン目６から右側にある薬剤情報表示部材１ｂにおいて、上側に位置する矩形状の用紙２の薬剤説明書領域１０及び薬剤料金明細書領域１１に該当する領域が接着剤４による接着領域となる。
【００１５】
次に、粘着部領域５ａは、切り取り用ミシン目６から右側にある薬剤情報表示部材１ｂにおいて、上側に位置する矩形状の用紙２の薬剤シール領域１２に該当する領域が粘着部領域５ａとなる。
そして、粘着部領域５ａに該当する用紙２の裏面側には、粘着剤５が塗布されている。
また、２つのシール部分１２ａ，１２ｂを用紙３から剥離可能とするために、２つのシール部分１２ａ，１２ｂに該当する用紙３の上面側に剥離剤層を設けておくことが好ましい。
なお、２つの薬剤シール部分１２ａ，１２ｂが、用紙３の上面側から剥離可能であれば、必ずしも剥離剤層を設ける必要はない。
【００１６】
次に、図６及び図７に基づいて、本発明の実施形態に係る薬袋１の使用方法について説明する。
まず、患者から提出された処方箋により薬剤を処方する薬局は、薬袋１をプリンタにセットして薬剤情報表示部材１ｂの表面に対して、薬剤説明書領域１０、薬剤料金明細書領域１１、薬剤シール領域１２、の各領域に必要な薬剤情報をプリント出力する。
また、薬剤シール領域１２の薬剤シール部分１２ａ，１２ｂの表面には、収納されている薬剤の名称や服用する時間や条件などをプリント出力させておくことで、患者が何時、どの薬剤を服用すればよいのかがわかるようにしてある。
【００１７】
次に、薬袋１の薬袋部材１ａの開口部７から、処方する薬剤１５を入れて収納させて、薬剤１５を患者に渡す。
図７に示すように、患者は、薬袋１を受け取った後に、薬剤シール部分１２ａ，１２ｂを剥離させて、薬袋部材１ａの所定部分に貼付させる。
そして、切り取り用ミシン目６から薬袋部材１ａと薬剤情報表示部材１ｂとを切り離す。
これにより、患者は、薬剤シール部分１２ａ，１２ｂが貼付された薬袋部材１ａを所持して、必要に応じて薬剤を服用する。
【００１８】
上記のように、本発明の実施形態に係る薬袋１は、薬剤を封入する開口部が施された薬袋部材と、該薬袋部に収納する薬剤情報を表示する薬剤情報表示部材と、が一体化されて設けられているので、薬剤を収納させる薬袋と共に、その薬袋に収納させた薬剤に関する薬剤情報をプリント出力して患者に渡したい場合でも、患者に渡す薬袋と共に、プリント出力させた薬剤情報を一体化させて渡すことができて、マッチングミスの防止を図ることができ、またマッチング作業の省略を図ることができる。
【図面の簡単な説明】
【００１９】
【図１】本発明の実施形態に係る薬袋の斜視図である。
【図２】図１のＡ−Ａ線断面図である。
【図３】図１のＢ−Ｂ線断面図である。
【図４】図１のＣ−Ｃ線断面図である。
【図５】本発明の実施形態に係る薬袋を分解させた場合を示す斜視図である。
【図６】本発明の実施形態に係る薬袋の使用方法を示し、薬剤の封入と、必要なプリント出力を行なった状態を示す斜視図である。
【図７】本発明の実施形態に係る薬袋の使用方法を示し、薬袋を切り取り、薬剤シールを貼り替えた状態を示す斜視図である。
【符号の説明】
【００２０】
１  薬袋
１ａ  薬袋部材
１ｂ  薬剤情報表示部材
２，３  矩形状の用紙
４ａ  接着部領域
４  接着剤
５ａ  粘着部領域
５  粘着剤
６，８，９  切り取り用ミシン目
７  開口部
１０  薬剤説明書領域
１１  薬剤料金明細書領域
１２  薬剤シール領域
１２ａ，１２ｂ  薬剤シール部分
１３ａ，１３ｂ  切込み枠
１５  薬剤
【図１】
2010068899.tif 000003
【図２】
2010068899.tif 000004
【図３】
2010068899.tif 000005
【図４】
2010068899.tif 000006
【図５】
2010068899.tif 000007
【図６】
2010068899.tif 000008
【図７】
2010068899.tif 000009